(57)【要約】【課題】ユーザ（１０６）に関連付けられたポータブルデバイス（１０４）と、アクセス制御デバイス（１０２）とを含むシステムにおいて、アクセスを制御するための方法（２００）を提供すること。【解決手段】ポータブルデバイス（１０４）およびアクセス制御デバイス（１０２）は互いにワイヤレスで通信する（１１０）ように設定されており、方法（２００）は、ポータブルデバイス（１０４）およびアクセス制御デバイス（１０２）をペアリングすること（２０２）と、ポータブルデバイス（１０４）がアクセス制御デバイスへの近接度を検出すると、ポータブルデバイス（１０４）において、アクセス制御デバイス（１０２）から受信した信号の経時的信号強度を判定すること（２０４）と、判定された経時的信号強度をあらかじめ判定された基準信号強度プロファイルと比較すること（２０６）と、判定された経時的信号強度が基準信号強度プロファイルと一致すると考慮されると、アクセス制御デバイス（１０２）を制御すること（２０８）とを含む。【選択図】図１
2019115034.tif 000002
【特許請求の範囲】
【請求項１】
ユーザ（１０６）に関連付けられたポータブルデバイス（１０４）と、アクセス制御デバイス（１０２）とを含むシステムにおいて、アクセスを制御するための方法（２００）であって、前記アクセス制御デバイスがロックされた状態およびロック解除された状態を有し、前記ポータブルデバイス（１０４）および前記アクセス制御デバイス（１０２）が互いにワイヤレスで通信する（１１０）ように設定されており、前記方法（２００）が、
前記ポータブルデバイス（１０４）および前記アクセス制御デバイス（１０２）をペアリングすること（２０２）と、
前記ポータブルデバイス（１０４）が前記アクセス制御デバイスへの近接度を検出すると、前記ポータブルデバイス（１０４）において、前記アクセス制御デバイス（１０２）から受信した信号の経時的信号強度を判定すること（２０４）と、
判定された経時的信号強度をあらかじめ判定された基準信号強度プロファイルと比較すること（２０６）と、
前記判定された経時的信号強度が前記基準信号強度プロファイルと一致すると考慮されると、前記アクセス制御デバイス（１０２）を制御すること（２０８）と
前記アクセス制御デバイスが前記ロックされた状態から前記ロック解除された状態へと状態を変更すると、前記ポータブルデバイス（１０４）において、前記判定された経時的信号強度の少なくとも一部を、基準信号強度プロファイルとして記録または更新すること（２１０）と
を含む方法。
【請求項２】
前記アクセス制御デバイス（１０２）を前記制御すること（２０８）が、前記基準信号強度プロファイルに対する所定の時点で行われる、請求項１に記載の方法。
【請求項３】
前記経時的信号強度が前記基準信号強度プロファイルに対する所定の経時的許容帯内であるかどうかを判定することによって、一致が判定される、請求項１または２に記載の方法。
【請求項４】
前記ポータブルデバイスにおいて、前記アクセス制御デバイス（１０２）から受信した信号の経時的信号強度を判定すること（２０４）に先立って、前記ポータブルデバイス（１０４）を較正モードに定めること（２０３）をさらに含む請求項１から３のいずれか一項に記載の方法。
【請求項５】
前記較正モードである間、複数の機会に、前記アクセス制御デバイスが前記ロックされた状態から前記ロック解除された状態へと状態を変更すると、前記ポータブルデバイス（１０４）において、前記判定された経時的信号強度を基準信号強度プロファイルとして記録または更新することをさらに含む請求項１から４のいずれか一項に記載の方法。
【請求項６】
記録または更新された基準信号強度プロファイルが、前記複数の機会に、判定された経時的信号強度を表示したものである、請求項５に記載の方法。
【請求項７】
所定の数の機会の後に、前記判定された経時的信号強度をあらかじめ判定された基準信号強度プロファイルと比較するときに使用されることになる基準信号強度プロファイルを定めることをさらに含む請求項５または６に記載の方法。
【請求項８】
所定の数の機会の後に、前記判定された経時的信号強度とあらかじめ判定された基準信号強度プロファイルとの一致を考慮するときに使用されることになる、前記基準信号強度プロファイルに対する経時的許容帯を定めることをさらに含む請求項５に記載の方法。
【請求項９】
異なる機会に判定された基準信号強度プロファイル間の違いが所定の許容帯よりも小さいことに応答して、前記判定された経時的信号強度とあらかじめ判定された基準信号強度プロファイルとの一致を考慮するときに使用されることになる基準信号強度プロファイルを定めることをさらに含む請求項５に記載の方法。
【請求項１０】
前記判定された経時的信号強度をあらかじめ判定された基準信号強度プロファイルと前記比較することが、前記判定された経時的信号強度と前記基準信号強度プロファイルとの一次時間導関数の比較を包含する、請求項１から９のいずれか一項に記載の方法。
【請求項１１】
前記方法が、
前記ポータブルデバイス（１０４）が前記アクセス制御デバイスへの近接度を検出すると、前記ポータブルデバイス（１０４）において、前記ポータブルデバイス（１０４）の補助センサ（１１８）からのセンサ信号を経時的に判定すること（２１１）と、
前記ユーザ（１０６）が前記アクセス制御デバイスの状態を変更すると、前記ポータブルデバイス（１０４）において、前記補助センサ（１１８）から経時的に判定されたセンサ信号の少なくとも一部を、補助基準信号プロファイルとして記録または更新すること（２１２）と
をさらに含み、
前記判定された経時的信号強度をあらかじめ判定された基準信号強度プロファイルと比較すること（２０６）が、前記補助センサ（１１８）から経時的に前記判定されたセンサ信号をあらかじめ判定された補助信号基準プロファイルと比較すること（２１４）と組み合わせて実行され、
前記方法が、
前記経時的信号強度が前記基準信号強度プロファイルと一致すると考慮され、かつ前記補助センサ（１１８）からの経時的な前記センサ信号が前記補助信号基準プロファイルと一致すると考慮されると、前記アクセス制御デバイス（１０２）を制御すること（２１６）
をさらに含む請求項１から１０のいずれか一項に記載の方法。
【請求項１２】
前記ポータブルデバイス（１０４）と前記アクセス制御デバイス（１０２）との間のワイヤレス通信（１１０）が、Ｂｌｕｅｔｏｏｔｈ、Ｚｉｇｂｅｅ、Ｗｉｆｉ、ＲＦＩＤ、ＮＦＣを介する、請求項１から１１のいずれか一項に記載の方法。
【請求項１３】
前記ポータブルデバイス（１０４）が、モバイル電話、タブレット、キーホブ、スマートウォッチ、またはスマートブレスレットである、請求項１から１２のいずれか一項に記載の方法。
【請求項１４】
前記アクセス制御デバイス（１０２）から受信した信号の前記経時的信号強度が、受信信号強度インジケータ（ＲＳＳＩ）、または受信チャネル電力インジケータ（ＲＣＰＩ）である、請求項１から１３のいずれか一項に記載の方法。
【発明の詳細な説明】
【技術分野】
【０００１】
本発明は、ユーザに関連付けられたポータブルデバイスと、アクセス制御デバイスとを含むシステムにおいて、アクセスを制御するための方法に関する。
【背景技術】
【０００２】
米国特許第８，７９２，８２６Ｂ１号は、一連の受信信号強度インジケータ（ＲＳＳＩ）値の解析を使用して、無線周波数デバイスと制御スイッチとの間の近接度を判定するための方法を開示している。その特許文献は、無線周波数デバイスの近接度に基づいたスイッチの制御のための方法にさらに関する。スイッチは、ドアロックの状態を、ロックからロック解除へと変更するために使用され得ることが開示されている。近接度を判定するために使用される、種々のいわゆるテクニカルインジケータもまた開示されている。
【０００３】
しかしながら、米国特許第８，７９２，８２６号で開示された方法は、ユーザの意図ではなかったにもかかわらず、無線周波数デバイスのスイッチへの近接度が反応をトリガすることになる、いくつかの状況を招くことがある。ユーザが車庫の中にある車の付近を通るときに、たとえば、意図せずに車のドアが開くことがある。同様に、ユーザが廊下沿いに自分のオフィスを通り過ぎるときに、たとえば、意図せずにオフィス空間内のドアロックが開くことがある。
【０００４】
このように、ユーザに関連付けられたポータブルデバイスと、アクセス制御デバイスとを含むシステムにおいて、アクセスを制御するための方法を提供することについて言えば、なおも改善の余地が存在する。
【発明の概要】
【発明が解決しようとする課題】
【０００５】
上記で識別した本技術分野での不備および不都合のうちの１つまたは複数を、単独で、または任意の組合せで、減らし、緩和し、またはなくして、少なくとも上記で言及した問題を解決することが目的である。
【０００６】
上記に照らして、本発明の目的は、ユーザに関連付けられたポータブルデバイスと、アクセス制御デバイスとを含むシステムにおいて、アクセスを制御するための方法を提供することであると言うことができる。方法は、アクセス制御デバイスを意図せずにトリガする課題に対処するために使用することができ、なおもアクセス制御デバイスによって制御される対象物へのユーザの接近に十分間に合うようにアクセス制御デバイスをトリガすることが可能であり、それによって、ユーザにとって望ましくない遅れ、または待ち時間を回避する、または少なくとも減少させる。
【課題を解決するための手段】
【０００７】
上記で議論した目的は、ユーザに関連付けられたポータブルデバイスと、アクセス制御デバイスとを含むシステムにおいて、アクセスを制御するための方法により対処されており、ここで、ポータブルデバイスおよびアクセス制御デバイスは互いにワイヤレスで通信するように設定されており、方法は、
ポータブルデバイスおよびアクセス制御デバイスをペアリングすることと、
ポータブルデバイスがアクセス制御デバイスへの近接度を検出すると、ポータブルデバイスにおいて、アクセス制御デバイスから受信した信号の経時的信号強度を判定することと、
判定された経時的信号強度をあらかじめ判定された基準信号強度プロファイルと比較することと、
判定された経時的信号強度が基準信号強度プロファイルと一致すると考慮されると、アクセス制御デバイスを制御することと
を含む。
【０００８】
経時的信号強度を判定することによって、かつ判定された経時的信号強度を１つまたは複数のあらかじめ判定された基準信号強度プロファイルと比較することによって、たとえば、ユーザがオフィス空間の中に入る意図を持って自分のオフィスドアに接近している第１の状況と、ユーザが廊下でオフィスドアを素通りする意図を持って自分のオフィスドアに接近している第２の状況とを差別化することが可能である。実際の結果として生じる近接度が同じであり得たとしても、経時的信号強度のプロファイルが、ドアへのユーザの接近における違いを指し示すことができる。判定された経時的信号強度が、たとえばドアを開ける意図を持ってアクセス制御デバイスに接近するユーザに関連付けられた基準信号強度プロファイルと一致すると考慮されるケースでは、アクセス制御デバイスは、アクセスを提供するように制御される。判定された経時的信号強度が、アクセス制御デバイスを通るユーザに関連付けられた基準信号強度プロファイルと一致すると考慮されるケースでは、アクセス制御デバイスは、アクセスを提供しないように制御される。
【０００９】
ポータブルデバイスは、それによって、より確実なやり方でアクセス制御デバイスを制御することができる。
【００１０】
方法は、アクセス制御デバイスのより効率的な制御をさらに可能にする。これは、経時的信号強度と基準信号強度プロファイルとの間で判定された一致が、ユーザがアクセス制御デバイスに接近しているときにアクセス制御デバイスを制御するために、ユーザの動きパターンの利用を可能にするからである。方法は、それによって、アクセス制御デバイスに接近するときのユーザの動き方を活用することができる。
【００１１】
アクセス制御デバイスはポータブルデバイスによって制御されるので、アクセス制御デバイスへの制限はさらに減少する。それによって、それほど高性能ではないアクセス制御デバイスを使用することができる。より経済的に成り立つアクセス制御デバイスがさらに提供される。
【００１２】
別の言い方をすれば、判定された経時的信号強度をあらかじめ判定された基準信号強度プロファイルと比較するアクション、および判定された経時的信号強度と基準信号強度プロファイルとの一致を判定するアクションは、ポータブルデバイスによって実行される。したがって、方法は、手頃な選択肢を提案している、すなわち、そうでない場合にはより複雑なアクセス制御デバイスを要することになる機能性を、ポータブルデバイスを介して提供することができる。
【００１３】
「経時的信号強度が基準信号強度プロファイルと一致すると考慮される」という言い方は、その２つが本質的に同じサイズおよび／または同じ形状を有すると理解することができる。言い換えれば、経時的信号強度の変動と基準信号強度プロファイルの変動との間に類似性が存在すると考えられる。一致は、たとえば、相関性、相互相関性、最小偏差によって、または経時的信号強度と基準信号強度プロファイルとの積分値（「曲線下の面積」）を比較することによって判定することができる。判定された経時的信号強度と判定された基準信号強度プロファイルとは、２つの間の違いが所定の値よりも小さい場合に、一致すると考慮されてよい。たとえば、違いは、経時的に積分された信号を比較することによって計算することができる。所定の値は、たとえば、経時的に積分された信号の１０〜２０％の域内であってよい。このように、所定の値と経時的に積分された信号との間に８０〜９０％内の合致が存在することができる。
【００１４】
方法は、ユーザに関連付けられて識別された特有の動きパターンによって、アクセス制御デバイスの制御を可能にすると言うことができる。方法は、ユーザのポータブルデバイスの信号強度プロファイルを利用して、ユーザがアクセス制御デバイスに接近するときのユーザの動きパターンを判定する。判定されたユーザの動きパターンと記憶された動きパターンとの間の類似性が、ユーザを識別し、アクセス制御デバイスを制御するためにさらに使用される。その上、単なる近接度ではなくプロファイルを使用することによって、基準信号強度プロファイルに基づいてアクセス制御デバイスを制御することによる、アクセス制御デバイスを制御するためのより正確なタイミングを提供することが可能である。
【００１５】
これは、たとえば、基準信号強度プロファイルに対する所定の時点で、アクセス制御デバイスを制御することによって実行されてよい。それによって、実例として、ドアは、ユーザがドアに到達する前に開き始めてよく、ユーザはそれによって、全く、または少なくともかなりの程度まで、待ったり、減速したりする必要なく、ドアを通ることができる。たとえドアが自動的に開いていないとしても、ユーザがドアに接触してドアを押すか引くかして開ける前に、ユーザが、たとえば、ドアがロック解除されているという可聴的な裏付けを聴く、または視覚的な裏付けを見ることは、有益であり得る。
【００１６】
方法は、ユーザがアクセス制御デバイスの状態を変更すると、ポータブルデバイスにおいて、判定された経時的信号強度の少なくとも一部を、基準信号強度プロファイルとして記録すること、または更新することをさらに含むことができる。
【００１７】
これは、基準信号強度プロファイルを最初に提供する、または基準信号強度プロファイルを継続的に更新する自動的なやり方として使用されてよい。アクセス制御デバイスへの接近が初回であり、事前に記憶された標準的な基準信号強度プロファイルがない場合には、ユーザがアクセス制御デバイスの状態を変更することにより、ポータブルデバイスにおいて、判定された経時的信号強度の少なくとも一部を基準信号強度プロファイルとして記録することをトリガすることができる。次回ユーザがアクセス制御デバイスに接近する際、ユーザの接近は、このように記録された基準信号強度プロファイルと比較されてよい。判定された信号強度は、基準信号強度プロファイルとして使用される前に、フィルタ処理または他の種類のデータ処理にかけられてもよいことに留意することができる。これは、たとえば、雑音低減であってよい。処理はまた、基準信号強度プロファイルが、後の比較において数学的に扱いやすいこと、または記憶するためにメモリ効率的であることを提供するために使用されてもよい。このように、判定された経時的信号強度の少なくとも一部を基準信号強度プロファイルとして記録すること、または更新することは、判定された経時的信号強度の一部を表示することであってよい。
【００１８】
アクセス制御デバイスの状態を変更することは、たとえば、アクセス制御デバイスをロック解除することであってよい。アクセス制御デバイスの状態を変更することはまた、アクセス制御デバイスによって制御される、ドアなどの対象デバイスの実際の開放であってもよいことに留意することができる。逆の状態もやはり有益であり得ることにまた留意することができる。一致が判定されているケースで、ドアなどの対象デバイスの実際の開放がないことは、所定の基準信号強度プロファイルの有効性を破棄する、更新する、または問い合わせるためのトリガとして使用されてよい。
【００１９】
ユーザがアクセス制御デバイスに接近し、アクセス制御デバイスの状態を変更した場合、この状態の変更は、基準信号強度プロファイルの更新をトリガするために使用されてもよい。更新は、あらかじめ判定された基準信号強度プロファイルとの一致が実現している、またはしていない両方のケースで実行されてよい。たとえば、異なる機会に共通である動きパターンの部分、および異なる機会によってしばしば変わる動きパターンの部分を識別するために、更新を使用することができる。それによって、一致が存在するか否かについての判定をするときに、基準信号強度プロファイルの異なる部分に対する異なる重み、または異なる許容値をアサートすることが可能になる。
【００２０】
アクセス制御デバイスに対するユーザの以前の動きパターンをさらに考慮することによって、アクセス制御デバイスの改善された制御を取得することができる。ユーザがアクセス制御デバイスに到達するときのアクセス制御デバイスの状態を、さらに制御することができる。例として、アクセス制御デバイスはドアロックであってよく、ドアは、ユーザがドアに到達するときに開いてよい。それによって、ユーザが積極的にドアを開ける必要性なしに、ドアのより効率的な開放を実現することができる。
【００２１】
言い換えれば、ポータブルデバイスにおいて、判定された経時的信号強度の一部を表示したものを基準信号強度プロファイルとして記録すること、または更新することは、アクセス制御デバイスに接近するときのユーザの、特有の動作、たとえば動きの識別を可能にする。
【００２２】
経時的信号強度が基準信号強度プロファイルに対する所定の経時的許容帯内であるかどうかを判定することによって、一致を判定することができる。許容帯は、絶対的に見て、または相対的に見て、またはその組合せで、信号強度に関わり得ることに留意することができる。許容帯は、基準信号強度プロファイルの異なる時間セグメントで異なる程度の偏差を可能にするように選定されてよいことに留意することができる。許容帯を使用する方法は、判定された経時的信号強度が基準信号強度プロファイルと一致すると考慮されるか否かを判定するときに、逸脱した値または異様な値を無視することを可能にするように設計されてよいことに留意することができる。
【００２３】
方法は、ポータブルデバイスにおいて、アクセス制御デバイスから受信した信号の経時的信号強度を判定することに先立って、ポータブルデバイスを較正モードに定めることをさらに含むことができる。
【００２４】
較正モードの使用は、ユーザの動きパターンを効率的なやり方で識別することができる、制御された学習手続きをもたらす。方法は、それによって、ユーザがアクセス制御デバイスに接近するときのユーザの動きの効率的なマッピングを可能にする。基準信号強度プロファイルのより確実な判定をさらに実現することができる。基準信号強度プロファイルのより速い判定もまた実現することができる。基準信号強度プロファイルを記録することは、ユーザがアクセス制御デバイスの状態を変更することによってトリガされてよい。
【００２５】
方法は、較正モードである間、複数の機会に、ユーザがアクセス制御デバイスの状態を変更すると、ポータブルデバイスにおいて、判定された経時的信号強度の少なくとも一部を、基準信号強度プロファイルとして記録すること、または更新することをさらに含むことができる。このようにして、基準信号強度プロファイルの確実な判定を実現することができる。較正モードは、所定の数の機会に応答して、または異なる機会に判定された基準信号強度プロファイルの合致に応答して、自動的に終了することができる。
【００２６】
記録された、または更新された基準信号強度プロファイルは、複数の機会に、判定された経時的信号強度を表示したものであってよい。表示したものは、たとえば、実際に判定された、およびオプションでデータ処理された経時的信号強度の、平均であっても、または重み付けされた平均であってもよい。
【００２７】
方法は、所定の数の機会の後に、判定された経時的信号強度をあらかじめ判定された基準信号強度プロファイルと比較するときに使用されることになる基準信号強度プロファイルを定めることをさらに含むことができる。これは、基準信号強度プロファイルを提供する堅牢なやり方である。方法はまた、ユーザが複数の機会にアクセス制御デバイスに接近していることを活用することができる。基準が判定される前に、ユーザは所定の回数この手続きをするように要求されることがユーザに前もって通知され得るので、方法はまたユーザフレンドリである。それによって、ユーザの動きに対して改善された表示性を有する基準信号強度プロファイルを取得することができる。言及したように、基準信号強度プロファイルを判定するとき、平均化、または重み付けした平均化を使用することができる。所定の数の機会を伴うこの方法は、ユーザが状態を変更することによってトリガされる、今後進行する、または周期的な自動更新によって、補完され得ることに留意することができる。
【００２８】
方法は、所定の数の機会の後に、判定された経時的信号強度とあらかじめ判定された基準信号強度プロファイルとの一致を考慮するときに使用されることになる、基準信号強度プロファイルに対する経時的許容帯を定めることをさらに含むことができる。これは、経時的許容帯を定める堅牢なやり方である。方法は、ユーザが複数の機会にアクセス制御デバイスに接近していることを活用する。基準が判定される前に、ユーザは所定の回数この手続きをするように要求されることがユーザに前もって通知され得るので、方法はまたユーザフレンドリである。それによって、ユーザの動きに対して改善された表示性を有する基準信号強度プロファイルおよび許容帯を取得することができる。
【００２９】
方法は、異なる機会に判定された基準信号強度プロファイル間の違いが所定の許容帯よりも小さいことに応答して、判定された経時的信号強度とあらかじめ判定された基準信号強度プロファイルとの一致を考慮するときに使用されることになる基準信号強度プロファイルを定めることをさらに含むことができる。この方法を用いて、基準信号強度プロファイルの動的対応を提供することが可能である。これは、異なる機会に判定された基準信号強度プロファイルの十分な合致が存在するときに、較正モードが終了する方法であると考えられてよい。
【００３０】
判定された経時的信号強度とあらかじめ判定された基準信号強度プロファイルとの比較は、判定された経時的信号強度と基準信号強度プロファイルとの一次時間導関数の比較を包含することができる。比較における一次時間導関数の使用は、たとえば、動作の一致をなおも識別している間に、異なる接近の速度を考慮に入れるために使用されてよい。
【００３１】
判定された経時的信号強度をあらかじめ判定された基準信号強度プロファイルと比較することは、判定された経時的信号強度と基準信号強度プロファイルとの二次時間導関数の比較を包含することができる。二次時間導関数の使用は、たとえば、アクセス制御デバイスにおけるユーザの到着時間の予測において使用されてよい。二次時間導関数はまた、ユーザの動きの傾向における変化を素早く識別するために使用されてもよい。
【００３２】
方法は、
ポータブルデバイスがアクセス制御デバイスへの近接度を検出すると、ポータブルデバイスにおいて、ポータブルデバイスの補助センサからのセンサ信号を経時的に判定することと、
ユーザがアクセス制御デバイスの状態を変更すると、ポータブルデバイスにおいて、補助センサから経時的に判定されたセンサ信号の少なくとも一部を、補助基準信号プロファイルとして記録すること、または更新することと
をさらに含むことができ、
判定された経時的信号強度をあらかじめ判定された基準信号強度プロファイルと比較することが、補助センサから経時的に判定されたセンサ信号をあらかじめ判定された補助信号基準プロファイルと比較することと組み合わせて実行され、
方法は、
経時的信号強度が基準信号強度プロファイルと一致すると考慮され、かつ補助センサからの経時的なセンサ信号が補助信号基準プロファイルと一致すると考慮されると、アクセス制御デバイスを制御すること
をさらに含むことができる。
【００３３】
ジャイロスコープまたは加速度計などの、追加的なセンサ信号からのインプットを、ポータブルデバイスのユーザの動きを特定するために使用することができる。補助センサ信号に関係したデータと組み合わせて、信号強度に関係したデータが、アクセス制御デバイスを制御するために使用されてもよい。この動きパターンを、アクセス制御デバイスを制御するためのより正確なタイミングを取得するために使用することができる。たとえば、ドアから入ること、またはドアを通り過ぎることについて言えば、ユーザの意図をより明確に識別するために、たとえば、ジャイロスコープを使用することができる。ジャイロスコープまたは加速度計は、たとえば、ユーザがドアの方に向きを変えていることを素早くかつ明確に識別することができる。
【００３４】
補助センサは、たとえば、ジャイロスコープ、加速度計、またはＧＰＳセンサであってよい。
【００３５】
ポータブルデバイスとアクセス制御デバイスとの間のワイヤレス通信は、たとえば、
Ｂｌｕｅｔｏｏｔｈ、Ｚｉｇｂｅｅ、Ｗｉｆｉ、無線周波数識別（ＲＦＩＤ）、および／または近距離無線通信（ＮＦＣ）を介して実行されてよい。
【００３６】
ポータブルデバイスは、たとえば、モバイル電話、タブレット、キーホブ、スマートウォッチ、またはスマートブレスレットであってよい。
【００３７】
アクセス制御デバイスは、たとえば、ドアロック、車のドアロック、窓のロック、貯蔵コンパートメント用のロック、駐車場の入口または出口ブーム、その他であってよい。貯蔵コンパートメントは、たとえば、冷蔵庫、または冷凍庫、ガス供給部、その他であってよい。
【００３８】
アクセス制御デバイスから受信した信号の経時的信号強度は、たとえば、受信信号強度インジケータ（ＲＳＳＩ）、または受信チャネル電力インジケータ（ＲＣＰＩ）であってよい。
【００３９】
本発明の適用可能性のさらなる範囲は、下に与えられた詳細な説明から明らかになるであろう。しかしながら、当業者には本発明の範囲内のさまざまな変更形態および修正形態がこの詳細な説明から明らかとなるので、詳細な説明および特定の例は、本発明の好ましい実施形態を指し示すものの、例示としてのみ与えられることが理解されるべきである。
【００４０】
このことから、本発明は、説明されるデバイスの個別のコンポーネント部分、または説明される方法のステップに限定はされず、というのは、そのようなデバイスおよび方法が多様であり得るからということを理解されたい。また、本明細書で使用される専門用語は、個別の実施形態を説明する目的のためのみであり、限定することを意図しないことも理解されたい。本明細書および添付の請求項において使用されるとき、冠詞「ａ」、「ａｎ」、「ｔｈｅ」、および「ｓａｉｄ」は、コンテキストが別段明確に命じない限り、要素のうちの１つまたは複数が存在することを意味するように意図されることに留意しなければならない。このように、たとえば、「ａ  ｕｎｉｔ」、または「ｔｈｅ  ｕｎｉｔ」への参照が、数個のデバイス、その他を包含することがある。さらに、単語「ｃｏｍｐｒｉｓｉｎｇ（含む）」、「ｉｎｃｌｕｄｉｎｇ（包含する）」、「ｃｏｎｔａｉｎｉｎｇ（収容する）」、および類似した言い方は、他の要素またはステップを排除しない。
【００４１】
本発明の上記の、および他の態様を、ここから本発明の実施形態を表す添付の図面を参照して、より詳細に説明する。図は、本発明を特定の実施形態に限定するものと考えられるべきではなく、代わりに本発明の解説し、理解するために使用される。
【００４２】
図に示すように、階層および領域のサイズは、例示目的のために誇張されており、よって、本発明の実施形態の全体的な構造を示すために提供されている。同様の参照番号は、全体を通して同様の要素を指す。
【図面の簡単な説明】
【００４３】
【図１】ポータブルデバイスとアクセス制御デバイスとを含むシステムを示す図である。
【図２】ポータブルデバイスとアクセス制御デバイスとを含むシステムを示す図である。
【図３】ポータブルデバイスを含むシステムにおいてアクセスを制御するための方法のブロック図である。
【図４ａ】ドア用のドアロックの形態でのアクセス制御デバイスにユーザが接近するときの、第１の時点および第２の時点におけるユーザを示す図である。
【図４ｂ】開いたドアを通り抜ける図４ａのユーザを示す図である。
【図５】時間の関数として判定された受信信号強度の図である。
【図６】時間の関数として判定された受信信号強度の図である。
【図７】時間の関数として判定された受信信号強度の図である。
【図８】建物の平面図である。
【図９】ポータブルデバイスを含むシステムにおいてアクセスを制御するための方法のブロック図である。
【図１０】時間の関数として判定された受信信号強度の図である。
【発明を実施するための形態】
【００４４】
本発明を、ここから本発明の現段階で好ましい実施形態を表す付属の図面を参照して、以下でさらに十分に説明する。しかしながら、本発明は、多くの異なる形態で具現化されてよく、本明細書に明記された実施形態に限定するように解釈されるべきではない。むしろ、これらの実施形態は、徹底性および完全性のために、かつ本発明の範囲を当業者に十分に伝えるために提供される。
【００４５】
以下において、図１および図２を参照して、ユーザ１０６に関連付けられたポータブルデバイス１０４の識別された特有の動きパターンによって、アクセス制御デバイス１０２の制御を促進するシステム１００を説明する。より具体的には、システム１００は、アクセス制御デバイス１０２から受信した信号の記録される経時的信号強度を利用して、ユーザ１０６がアクセス制御デバイス１０２に接近する（１０７）ときのユーザ１０６の動きパターンを判定する。システム１００は、アクセス制御デバイス１０２へのユーザ１０６の接近に十分間に合うように、アクセス制御デバイス１０２をトリガすることを可能にする。システム１００は、それによって、アクセス制御デバイス１０２の改善された制御を可能にする。システム１００は、ユーザにとって望ましくない遅れ、または待ち時間を回避する、または少なくとも減少させる。アクセス制御デバイスを意図せずにトリガすることは、さらに減らされる。
【００４６】
図１は、ポータブルデバイス１０４とアクセス制御デバイス１０２とを含むシステム１００を示す。アクセス制御デバイス１０２は、ドアロック１０３として例証される。ドアロック１０３は、ドア１０８に配置される。以下において、アクセス制御デバイス１０２の制御は、ドア１０８のロック解除として例証される。ドア１０８は、ロック解除に応答して自動的に開いてよい。それによって、以下で議論するように、ロック解除されたドアを楽に通過することが、システムにより実現されてよい。
【００４７】
ポータブルデバイス１０４は、モバイル電話またはタブレットなどのモバイル通信デバイスであってよい。
【００４８】
ポータブルデバイス１０４は、ユーザ１０６に関連付けられている。関連付けは、ユーザ識別（ＩＤ）を要求するポータブルデバイス１０４を介してであってよい。ユーザ識別は、たとえば、タッチベースのＩＤまたはＰＩＮコードロックを含むことができる。
【００４９】
ポータブルデバイス１０４およびアクセス制御デバイス１０２は、各々、情報を記憶するためのメモリ１１２を含むことができる。ポータブルデバイス１０４のメモリ１１２は、ユーザ識別に関係した情報を記憶することができる。
【００５０】
ポータブルデバイス１０４およびアクセス制御デバイス１０２は、互いにワイヤレスで通信する（１１０）ようにさらに設定される。ポータブルデバイス１０４は、アクセス制御デバイス１０２とペアリングする（１１１）ことができる。ペアリング１１１は、２つのデバイス１０２、１０４の間に接続を確立するために行われる。
【００５１】
ペアリングは、ポータブルデバイスによって、たとえば、ユーザがポータブルデバイス上でアクセス制御デバイスのリストからアクセスデバイスを選択することによって開始されてよい。ペアリングは、認証手続きを含むことができる。認証手続きは、ポータブルデバイスにおいて、セキュリティコードを入力することを介した認証を含むことができる。セキュリティコードは、パスワードまたはピンコードであってよい。認証は、ポータブルデバイスがアクセス制御デバイスの画像を取り込むことによって実現されてもよい。それによって、アクセス制御デバイスの識別を取得することができる。
【００５２】
認証は、ＱＲコード、バーコード、またはテキストを介して実現されてもよい。ＱＲコード、バーコード、またはテキストは、アクセス制御デバイスに、またはアクセス制御デバイスに隣接して配置されてよい。このことから、視覚的指示が認証を確立するために使用されてもよい。
【００５３】
ポータブルデバイスのカメラが、アクセス制御デバイスを、またはアクセス制御デバイスに関連付けられたＱＲコード、バーコード、もしくはテキストを画像化するように設定されてもよい。
【００５４】
ポータブルデバイスのカメラは、アクセス制御デバイスに関連付けられたＱＲコード、バーコード、またはテキストを介して、アクセス制御デバイスを認証するように設定されてもよい。
【００５５】
ポータブルデバイスは、認証されたアクセス制御デバイスに基づいて、あらかじめ判定された基準信号強度プロファイルを選択することができる。
【００５６】
ポータブルデバイスは、代替として、選択されたアクセス制御デバイスに基づいて、あらかじめ判定された基準信号強度プロファイルを選択することができる。
【００５７】
接続に関係したデータを含む情報の記録を、それぞれのデバイス１０２、１０４のうちの少なくとも１つのメモリにさらに記憶することができる。いずれかのメモリ１１２は、ペアリングに関係した情報を記憶するために設定されてもよい。
【００５８】
ワイヤレス通信という言い方は、導電体によって接続されていない２つのデバイスの間での情報または電力の移送として理解されるべきである。ポータブルデバイス１０４およびアクセス制御デバイス１０２は、それぞれ、ワイヤレス通信１１０を提供するための通信ユニット１１４を含むことができる。ワイヤレス通信は、Ｂｌｕｅｔｏｏｔｈを介してであってよい。
【００５９】
ポータブルデバイス１０４およびアクセス制御デバイス１０２は、各々、プロセッサ１１６をさらに含むことができる。プロセッサ１１６は、たとえば、ポータブルデバイス１０４およびアクセス制御デバイス１０２それぞれの、通信ユニット１１４によって受信された、または送信されたデータを処理するように設定されたマイクロコントローラであってよい。ポータブルデバイス１０４のプロセッサ１１６は、アクセス制御デバイス１０２から受信した信号の経時的信号強度に関係したデータを処理するようにさらに設定されてもよい。
【００６０】
次に、ユーザ１０６に関連付けられたポータブルデバイス１０４と、アクセス制御デバイス１０２とを含むシステム１００において、アクセスを制御するための方法２００を説明する。図３、図４ａ、図４ｂ、および図５を参照されたい。
【００６１】
図４ａは、ユーザ１０６がドア１０８のドアロック１０３の形態でのアクセス制御デバイス１０２に接近する（１０７）ときの、第１の時点ｔ１および第２の時点ｔ２におけるユーザ１０６を示す。ドア１０８は、ロックされた状態にある。ユーザ１０６は、ポータブルデバイス１０４を携帯しており、ポータブルデバイス１０４は、アクセス制御デバイス１０２からポータブルデバイス１０４へと（経時的に）送信される信号１１０を受信する。
【００６２】
図３を参照すると、方法２００は、ポータブルデバイス１０４およびアクセス制御デバイス１０２をペアリングすること２０２を含む。ペアリング２０２は、この例において、第１の時点ｔ１よりも前に行われるように想定される。
【００６３】
ポータブルデバイス１０４がアクセス制御デバイス１０２への近接度を検出すると、方法は、ポータブルデバイス１０４において、アクセス制御デバイス１０２から受信した信号の経時的信号強度を判定すること２０４をさらに含む。
【００６４】
図５は、時間ｔの関数として判定された受信信号強度Ｓの図５００を示す。図５および図４ａを参照すると、判定された経時的信号強度５０２が、図５００にグラフ化されている。第１の時点ｔ１において、Ｓ１の信号強度がポータブルデバイス１０４において判定され、第２の時点において、Ｓ２の信号強度がポータブルデバイス１０４において判定される。第２の時点において、ユーザはアクセス制御デバイス１０２により近く、その結果、信号強度は増加するので、ここでＳ２はＳ１よりも大きい。判定された経時的信号強度５０２は、ドア１０８を制御するアクセス制御デバイスに所与のユーザがどのように接近するのかの尺度として理解されてよい。言い換えれば、判定された経時的信号強度５０２は、そのユーザについて特有の動きパターンとして、すなわち、所与のユーザについて特定のシグネチャまたはフィンガープリントとして理解されてもよい。
【００６５】
方法２００は、判定された経時的信号強度５０２を、あらかじめ判定された基準信号強度プロファイル５０４と比較すること２０６をさらに含む。あらかじめ判定された基準信号強度プロファイル５０４は、図５に長方形として示されている。
【００６６】
比較からは、ユーザ１０６がどのようにドア１０８に接近しているのかについての情報を抽出することが可能である。方法２００は、それによって、ユーザ１０６に関連付けられて識別された特有の動きパターンにより、アクセス制御デバイス１０２の制御を可能にする。このように、判定された経時的信号強度５０２が基準信号強度プロファイル５０４と一致すると考慮されるとき、アクセス制御デバイス１０２を制御することができる。一致は、たとえば、相関性、相互相関性、最小偏差によって、または判定された経時的信号強度５０２と基準信号強度プロファイル５０４との積分値を比較することによって判定することができる。
【００６７】
アクセス制御デバイス１０２を制御することは、アクセス制御デバイス１０２の状態を変更することによってもよい。状態の変更は、ドア１０８をロック解除することであってもよい。これは、図４ａおよび図４ｂに示されている。より具体的には、ユーザがドア１０８に接近する（１０７）とき、経時的信号強度５０２が判定され、ならびに基準信号強度プロファイル５０４と比較される。第１の時点ｔ１からｎ番目の時点ｔｎまでの測定点が、判定された経時的信号強度５０２を示す。図５における丸印を参照されたい。
【００６８】
判定された経時的信号強度５０２が基準信号強度プロファイル５０４と一致すると考慮される場合、アクセス制御デバイス１０２の状態を、ドア１０８がロック解除されるように変更することができる。ドアは、効率的なやり方でユーザが開いたドア１０８を通り抜ける（１０９）ことができるように、さらに自動的に開いてもよい。図４ｂを参照されたい。
【００６９】
アクセス制御デバイス１０２を制御することはさらに、基準信号強度プロファイル５０４に対する所定の時点ｔｕｎｌｏｃｋであってよい。それによって、たとえばドアは、ユーザがドアに到達する前に開き始めてよく、ユーザはそれによって、全く、または少なくともかなりの程度まで、待ったり、減速したりする必要なく、ドアを通ることができる。それによって、ドア１０８の改善された通過が、方法２００により実現される。
【００７０】
経時的信号強度における傾向が、代替として、所定の時点を導き出すために使用されてもよい。
【００７１】
方法２００は、ユーザがアクセス制御デバイスの状態を変更すると、ポータブルデバイスにおいて、判定された経時的信号強度の少なくとも一部を、基準信号強度プロファイルとして記録すること、または更新すること２１０をさらに含むことができる。
【００７２】
それによって、ユーザがアクセス制御デバイスの状態を変更する時点が、基準信号強度プロファイルを記録すること、または更新することをトリガする。このように、方法は、ユーザのポータブルデバイスの信号強度プロファイルを利用して、ユーザがアクセス制御デバイスに接近するときのユーザの動きパターンを記録する、または更新する。記憶された動きパターンに対する、すなわち基準信号強度プロファイルに対する判定されたユーザの動きパターンの類似性が次いで、ユーザを識別し、アクセス制御デバイスを制御するために使用されてよい。アクセス制御デバイスを制御することは、それによって、特定の個人の動き特性に合うように調整されてもよい。
【００７３】
図６は、第１のユーザ６０２および第２のユーザ６０４について、時間ｔの関数として判定された受信信号強度Ｓの図６００を示す。この例では、第１のユーザ６０２が、第２のユーザ６０４よりも速い速度でアクセス制御デバイス１０２に接近し、しかしその後、アクセス制御デバイス１０２のそばで停止することになることが注目に値する。２人のユーザの動きパターンは、それによって異なり、ユーザを識別するために、ならびにアクセス制御デバイス１０２を制御するための個別化された時点を判定するために使用されてよい。２つの判定された経時的受信信号強度６０２および６０４が２つの基準信号強度プロファイルとして更新される、または記録されると想定すると、これらは次いで、それぞれの基準信号強度プロファイルに対する所定の時点ｔｕｎｌｏｃｋで、アクセス制御デバイス１０２を制御するために使用されてよい。例として、第１のユーザのために所定の時点でアクセス制御デバイス１０２を制御することは、時間ｔｕｎｌｏｃｋ，１で行われてよく、一方第２のユーザのために所定の時点でアクセス制御デバイス１０２を制御することは、時間ｔｕｎｌｏｃｋ，２で行われてよい。
【００７４】
アクセス制御デバイスの状態を変更することは、ユーザが意識的にアクセス制御デバイスの状態を変更することによって実現されてよい。このように、ユーザがアクセス制御デバイス１０２の状態を変更することは、ポータブルデバイスにおいて、判定された経時的信号強度の少なくとも一部を基準信号強度プロファイルとして記録することをトリガすることができる。これを達成するために、アクセス制御デバイスの状態を変更することは、たとえば、実例としてのドアロックをロック解除することであってよい。ロック解除することは、鍵もしくは鍵コードによりユーザが物理的にドアをロック解除することによっても、または、ポータブルデバイスがロック解除をトリガする信号、すなわちアクセス制御デバイスの状態を変更する信号を送ることによってもよい。
【００７５】
例として、ユーザによってアクセス制御デバイスの状態を変更することは、時間ｔ’ｕｎｌｏｃｋに行われるように記録されてよい。図５を参照されたい。時点ｔ’ｕｎｌｏｃｋは次いで、そのときアクセス制御デバイス１０２の制御が行われる、基準信号強度プロファイル５０４に対する所定の時点ｔｕｎｌｏｃｋとして使用されてよい。所定の時点は、代替として、ユーザがアクセス制御デバイスの状態を変更する時点に対する時間におけるオフセットであってもよい。オフセットは、ユーザがアクセス制御デバイスの状態を変更する時点に関連した正または負であってよい。それによって、アクセス制御デバイスが変更される時点を定めることにおける改善された柔軟性が実現される。
【００７６】
図７は、複数の記録または更新について、時間ｔの関数として判定された受信信号強度Ｓの図７００を示す。図７は、測定点７０２によって表示される４つの異なる記録が作成されているケースをさらに例証する。基準信号強度プロファイル７０４および所定の経時的許容帯７０６もまた、それぞれ実線および破線によって図７に示されている。所定の経時的許容帯７０６は、基準信号強度プロファイル７０４に対して定められている。所定の経時的許容帯を利用することによって、一致を判定することができる。このように、経時的信号強度７０２が基準信号強度プロファイル７０４に対する所定の経時的許容帯７０６内であるかどうかを判定することによって、一致を判定することができる。
【００７７】
より具体的には、測定点７０２は、アクセス制御デバイスに接近するユーザについて記録された４つの異なる動きパターンを示す。測定点７０２はさらに、それに従って一致を判定することができる所定の許容帯７０６内にある。経時的信号強度が基準信号強度プロファイルに対する所定の経時的許容帯内にあるという条件を利用する利点は、適切な、または認定されたユーザがアクセス制御デバイスを制御することを保証するために使用されてよい、ユーザの識別を容易にするという点である。このケースにおいて、４つのすべての動きパターン７０２は、単一のユーザに相関していてよい。図７において、時間の関数としてさらに判定された受信信号強度がまた、長方形７０８によって示されている。測定点７０２とは対照的に、時間の関数としてさらに判定された受信信号強度７０８は、少なくとも部分的に所定の許容帯７０６の外側にあり、それに従って、時間の関数としてさらに判定された受信信号強度は、第２のユーザに関することが推定されてよい。第２のユーザは、アクセス制御デバイスを制御するために認定されたユーザではないと判定されてよい。言い換えれば、たとえ第２のユーザが第１のユーザと同じポータブルデバイスを使用しているとしても、第２のユーザについての動きパターンが第１のユーザの動きパターンから逸脱する、すなわち、判定された経時的信号強度の偏差が存在するとポータブルデバイスによって考えられる場合には、アクセス制御デバイスの制御は拒否されてよい。それによって、アクセス制御デバイスのより確実な制御を実現することができる。
【００７８】
方法は、ポータブルデバイス１０４において、アクセス制御デバイス１０２から受信した信号の経時的信号強度を判定すること２０４に先立って、ポータブルデバイス１０４を較正モードに定めること２０３をさらに含むことができる。
【００７９】
これを達成するために、方法は、較正モードである間、複数の機会に、ユーザがアクセス制御デバイスの状態を変更すると、ポータブルデバイスにおいて、判定された経時的信号強度を基準信号強度プロファイルとして記録すること、または更新することをさらに含むことができる。
【００８０】
較正モードの使用は、ユーザを効率的に識別することができる学習手続きをもたらす。方法は、それによって、ユーザがアクセス制御デバイスに接近するときのユーザの動きの効率的なマッピングを可能にする。基準信号強度プロファイルのより確実な判定がさらに実現される。基準信号強度プロファイルを記録することは、ユーザがアクセス制御デバイスの状態を変更することによって、さらにトリガされる。
【００８１】
記録された、または更新された基準信号強度プロファイルは、一度の機会に、判定された経時的信号強度を表示したものであってよい。
【００８２】
記録された、または更新された基準信号強度プロファイルは、代替として、複数の機会に、判定された経時的信号強度を表示したものであってもよい。このように、表示したものは、たとえば、実際に判定された、およびオプションでデータ処理された経時的信号強度の、平均であっても、または重み付けされた平均であってもよい。
【００８３】
たとえば、図７で測定点７０２によって指し示された４つの異なる判定された経時的信号強度は、基準信号を経時的に提供するために平均化されてもよい。
【００８４】
基準信号強度は、判定された経時的信号強度が基準信号強度プロファイルと一致すると考慮されている複数の機会の後に、記録されても、または更新されてもよい。記録された、または更新された基準信号強度プロファイルは、それによって、判定された、または更新された複数の機会に、判定された経時的信号強度を表示したものであってよい。表示することは、平均化すること、またはフィルタ処理することを含むことができる。このように、基準信号強度は、アクセス制御デバイスが１回または複数回制御されてきた後に、記録されても、または更新されてもよい。
【００８５】
方法は、所定の数の機会の後に、判定された経時的信号強度をあらかじめ判定された基準信号強度プロファイルと比較するときに使用されることになる基準信号強度プロファイルを定めることをさらに含むことができる。それによって、学習手続きを確立することができる。基準信号プロファイルの更新は、さらに可能である。
【００８６】
方法は、所定の数の機会の後に、判定された経時的信号強度とあらかじめ判定された基準信号強度プロファイルとの一致を考慮するときに使用されることになる、基準信号強度プロファイルに対する経時的許容帯を定めることをさらに含むことができる。
【００８７】
方法は、異なる機会に判定された基準信号強度プロファイル間の違いが所定の許容帯よりも小さいことに応答して、判定された経時的信号強度とあらかじめ判定された基準信号強度プロファイルとの一致を考慮するときに使用されることになる基準信号強度プロファイルを定めることをさらに含むことができる。
【００８８】
それによって、方法の較正モードを終了するための手続きが提供される。すなわち、異なる機会に判定された基準信号強度プロファイルの十分な合致が存在したとき、較正モードは終了する。方法は、それによって、より確実な基準信号プロファイルを提供する。
【００８９】
判定された経時的信号強度とあらかじめ判定された基準信号強度プロファイルとの比較は、判定された経時的信号強度と基準信号強度プロファイルとの一次時間導関数の比較を包含することができる。それによって、アクセス制御デバイスに接近するときのユーザの動きにおける傾向を利用することができる。それによって、アクセス制御デバイスの制御における改善された信頼性を実現することができる。
【００９０】
ポータブルデバイス１０４は、その動きおよび／または向きを登録するための補助センサ１１８を含むことができる。図２を参照されたい。補助センサ１１８は、プロセッサ１１６に接続することができる。補助センサからのインプットは、ポータブルデバイス１０４のユーザ１０６の動きを判定するために使用されてよい。
【００９１】
これを活用するために、方法２００は、ポータブルデバイス１０４がアクセス制御デバイス１０２への近接度を検出すると、ポータブルデバイス１０４において、ポータブルデバイス１０４の補助センサ１１８からのセンサ信号を経時的に判定すること２１１をさらに含むことができる。図９のブロック図を参照されたい。方法２００は、ユーザ１０６がアクセス制御デバイス１０２の状態を変更すると、ポータブルデバイス１０４において、補助センサ１１８から経時的に判定されたセンサ信号の少なくとも一部を、補助基準信号プロファイルとして記録すること、または更新すること２１２をさらに含む。判定された経時的信号強度をあらかじめ判定された基準信号強度プロファイルと比較するアクション２０６（図３を参照されたい）は、その上、補助センサ１１８から経時的に判定されたセンサ信号をあらかじめ判定された補助信号基準プロファイルと比較すること２１４と組み合わせて実行される。方法２００は次いで、経時的信号強度が基準信号強度プロファイルと一致すると考慮され、かつ補助センサ１１８からの経時的なセンサ信号が補助信号基準プロファイルと一致すると考慮されると、アクセス制御デバイス１０２を制御すること２１６を含む。
【００９２】
上記で言及したように、方法２００は、アクセス制御デバイスを意図せずにトリガする課題に対処するために使用することができ、なおもアクセス制御デバイスによって制御される対象物へのユーザの接近に十分間に合うようにアクセス制御デバイスをトリガすることが可能であり、それによって、ユーザにとって望ましくない遅れ、または待ち時間を回避する、または少なくとも減少させる。
【００９３】
図８は、建物の平面図８００を表す。平面図８００は、オフィス８０２、貯蔵室８０６、および入口ホール８０４を示す。階段８０８およびドア８１０が、入口ホール８０４への、および入口ホール８０４からの通過を可能にする。ドア８１０は、ドアロックの形態でのアクセス制御デバイス１０２を備える。
【００９４】
これを例証するために、図８は、破線矢印８１２、８１４、および８１６で表示された３つの異なる動きパターンを示す。図１０は、時間ｔの関数として判定された受信信号強度Ｓの図１０００において、動きパターン８１２および８１４にそれぞれ該当する判定された経時的信号強度１００２および１００４をさらに示す。図１０において、基準信号強度プロファイル１００６もまたグラフ化されている。
【００９５】
動きパターン８１２は、ユーザがアクセス制御デバイス１０２に接近していることを示す。システム１００および方法２００は、それによって、アクセス制御デバイス１０２から受信した信号の経時的信号強度１００２を記録することを可能にする。
【００９６】
方法２００は、判定された経時的信号強度１００２、すなわち、動きパターン８１２を、あらかじめ判定された基準信号強度プロファイルとさらに比較する。方法２００は、それによって、ユーザに関連付けられて識別された特有の動きパターンによる、アクセス制御デバイス１０２の制御を可能にする。このケースにおいて、判定された経時的信号強度１００２が基準信号強度プロファイル１００６と一致すると考慮され得るので、アクセス制御デバイス１０２はさらに制御されてよい。比較からは、ユーザ１０６がどのようにドア８１０に接近しているのかについての情報を抽出することもまた可能である。方法２００は、それによって、アクセス制御デバイス１０２をトリガすることを可能にする。結果として、ドア８１０は、ユーザがドア８１０に接近するときに、アクセス制御デバイス１０２によって開けられてよい、すなわち、ドアロックがロック解除されてよい。方法２００は、それによって、ユーザにとって望ましくない遅れ、または待ち時間を回避する、または少なくとも減少させる。
【００９７】
アクセス制御デバイスを意図せずにトリガすることを、方法２００によってさらに減らすことができる。動きパターン８１４は、ユーザがアクセス制御デバイス１０２に接近するものの、ある時点で方向を変え、アクセス制御デバイス１０２から離れるような状況を示している。動き８１４の結果として、経時的信号強度１００２とは異なる経時的信号強度１００４が記録されてよい。このケースにおいて、判定された経時的信号強度１００４は、方法２００によって、基準信号強度プロファイル１００６とは一致しないと考慮され、それに従って、アクセス制御デバイスは制御されない。別の表現をすれば、一致が見つからない場合にはアクセス制御デバイスの状態に変更はなく、結果的にドア８１０はユーザが通り過ぎるときにロックされたままとなる。
【００９８】
動きパターン８１６は、動きパターン８１２についてとは異なる判定された経時的信号強度を生じ得ることにもまた留意することができる。異なる動きパターンは、それによって、図６に関連して議論したように、ユーザを識別するために、ならびにアクセス制御デバイスを制御するための個別化された時点を判定するために使用されてよい。
【００９９】
まとめると、経時的信号強度１００２および１００４を判定することによって、かつそれらを判定された基準信号強度プロファイル１００６と比較することによって、実例として、ユーザがオフィス８０２の中に入る意図を持ってドア８１０を通っている第１の状況と、ユーザがドア８１０を開けて通り抜ける意図を持ってドア８１０に接近している第２の状況とを差別化することが可能である。
【０１００】
これを達成するために、補助センサ１１８は、ポータブルデバイス１０４のユーザ１０６の動きを特定する追加的な情報を提供することができる。図８を参照すると、補助センサ１１８は、ポータブルデバイス１０４の垂直および／または水平の動きを登録することができるジャイロスコープまたは加速度計であってよい。したがって、ユーザが階段８０８を使用していたか否かを判定することが可能である。補助センサからの追加的な情報は、それによって、動きパターン８１２および８１６などの異なる動きパターンを区別するときの支援をすることができる。補助センサからの信号は、ユーザを識別するためにさらに使用されてもよい。
【０１０１】
ポータブルデバイスとアクセス制御デバイスとの間のワイヤレス通信は、好ましくは、Ｂｌｕｅｔｏｏｔｈ、Ｂｌｕｅｔｏｏｔｈ  Ｌｏｗ  Ｅｎｅｒｇｙ、および／またはＺｉｇｂｅｅを介してであってよい。
【０１０２】
ポータブルデバイスとアクセス制御デバイスとの間のワイヤレス通信は、代替として、無線周波数識別（ＲＦＩＤ）、近距離無線通信（ＮＦＣ）、ＦｅｌｉＣａ、ＡＮＴ＋、Ｚ−Ｗａｖｅ、ＺｉｇＢｅｅ、赤外線通信、または超音波を介してであってもよい。
【０１０３】
ポータブルデバイスとアクセス制御デバイスとの間のワイヤレス通信は、好ましくはＷｉｆｉを介してであってもよい。
【０１０４】
ポータブルデバイスは、モバイル電話、タブレット、キーホブ、スマートウォッチ、またはスマートブレスレットであってよい。
【０１０５】
ポータブルデバイスは、判定された経時的信号強度をあらかじめ判定された基準信号強度プロファイルと比較することができるように十分なコンピューティング能力を有することが好ましい。それによって、アクセス制御デバイスは、たとえば、ワイヤレス通信能力を有する典型的な電子ロックであってもよい。方法の物理的実装を促進するインテリジェンスはその場合、ポータブルデバイスに常駐することができる。
【０１０６】
アクセス制御デバイスから受信した信号の経時的信号強度は、受信信号強度インジケータ（ＲＳＳＩ）、または受信チャネル電力インジケータ（ＲＣＰＩ）である。
【０１０７】
当業者は、本発明が上記で説明した好ましい実施形態に決して限定されないことを認識する。反対に、多くの修正形態および変形形態が添付の請求項の範囲内で可能である。
【０１０８】
たとえば、判定された経時的信号強度とあらかじめ判定された基準信号強度プロファイルとの比較は、判定された経時的信号強度と基準信号強度プロファイルとの二次時間導関数の比較を包含することができる。
【０１０９】
２つのデバイスの近接度の検出は、ポータブルデバイスが受信した信号の信号電力および／または信号電力における傾向を判定することによってもよい。
【０１１０】
経時的信号強度は、所与の時点に受信された無線信号に存在する測定された電力である、受信信号強度インジケータ（ＲＳＳＩ）であってもよい。
【０１１１】
ＲＳＳＩが信号強度パーセンテージ、すなわち、より高いＲＳＳＩ数がより強い信号である一方で、代替として、経時的信号強度は、ミリワット（ｍＷ）またはデシベルミリワット（ｄＢｍ）で測定された信号電力であるＲＸであってもよいことに留意することができる。
【０１１２】
経時的信号強度は、受信チャネル電力インジケータ（ＲＣＰＩ）であってもよい。ＲＣＰＩは、選択された通信チャネルにおける受信無線周波数電力の８０２．１１測定である。
【０１１３】
加えて、開示された実施形態に対する変形形態は、図面、本開示、および添付の請求項の検討から特許請求された本発明を実践する際に、当業者によって理解され、実施されてよい。
【図１】
2019115034.tif 000003
【図２】
2019115034.tif 000004
【図３】
2019115034.tif 000005
【図４ａ】
2019115034.tif 000006
【図４ｂ】
2019115034.tif 000007
【図５】
2019115034.tif 000008
【図６】
2019115034.tif 000009
【図７】
2019115034.tif 000010
【図８】
2019115034.tif 000011
【図９】
2019115034.tif 000012
【図１０】
2019115034.tif 000013
【外国語明細書】
2019115034000001.pdf
2019115034000002.pdf
2019115034000003.pdf
2019115034000004.pdf